(57)【特許請求の範囲】
【請求項１】
前面に吸込口を備えたタンクと、
前記タンクの上部に固定される本体と、
前記本体に設けられるモータによって回転する送風ファンと、を有する集塵機であって、
前記本体の上部に、前記モータへの通電を制御する運転スイッチの操作部が設けられ、前記操作部の下方に、ＯＮ／ＯＦＦ操作可能な主電源スイッチが設けられて、前記主電源スイッチのＯＮ状態でのみ前記運転スイッチによる前記モータへの通電制御が有効となっており、
前記操作部は、前記主電源スイッチよりも左右方向へ大きく延びるように形成されていることを特徴とする集塵機。
【請求項２】
前記操作部の下方に、前記送風ファンの回転による吸込量を調整する吸込量調整スイッチが配置されることを特徴とする請求項１に記載の集塵機。
【請求項３】
前記本体にはハンドルが左右方向へ延びるように形成されており、
前記操作部は、前記本体に上下方向へ回転可能に保持されることを特徴とする請求項１又は２に記載の集塵機。
【請求項４】
前記操作部の上面の少なくとも一部は、前記本体の上面より低くなるように下り傾斜していることを特徴とする請求項１乃至３の何れかに記載の集塵機。
【発明の詳細な説明】
【技術分野】
【０００１】
本発明は、塵埃等を貯留するタンクの上部に、モータ及び送風ファンを備えた本体を固定した集塵機に関する。
【背景技術】
【０００２】
集塵機は、タンクの上部に、例えば送風ファンを備えたモータを駆動部として収容した本体を着脱可能に固定してなり、モータの駆動によって送風ファンが回転すると、タンクに設けた吸込口に接続したホースを介して外気を吸い込み、タンク内及び本体を通過させることで、外気と共に吸い込まれた塵埃等をタンク内に設けたフィルタで捕捉してタンク内に貯留する。このような集塵機は、例えば特許文献１に開示のように、タンクに吸込口が設けられる本体の前面に操作部を設け、その操作部にツマミ型の運転スイッチを設けたものが知られている。
【先行技術文献】
【特許文献】
【０００３】
【特許文献１】特開２０１４−１４７９０４号公報
【発明の概要】
【発明が解決しようとする課題】
【０００４】
このような集塵機においては、本体の前面に運転スイッチが設けられるため、作業者が本体の背面側で作業している場合等、作業位置によっては運転スイッチのＯＮ／ＯＦＦ操作がしづらくなることがあった。
【０００５】
そこで、本発明は、運転スイッチに係る操作性を向上させることができる集塵機を提供することを目的としたものである。
【課題を解決するための手段】
【０００６】
上記目的を達成するために、請求項１に記載の発明は、前面に吸込口を備えたタンクと、タンクの上部に固定される本体と、本体に設けられるモータによって回転する送風ファンと、を有する集塵機であって、本体の上部に、モータへの通電を制御する運転スイッチの操作部が設けられ、操作部の下方に、ＯＮ／ＯＦＦ操作可能な主電源スイッチが設けられて、主電源スイッチのＯＮ状態でのみ運転スイッチによるモータへの通電制御が有効となっており、操作部は、主電源スイッチよりも左右方向へ大きく延びるように形成されていることを特徴とするものである。
請求項２に記載の発明は、請求項１の構成において、操作部の下方に、送風ファンの回転による吸込量を調整する吸込量調整スイッチを配置したことを特徴とするものである。
請求項３に記載の発明は、請求項１又は２の構成において、本体にはハンドルが左右方向へ延びるように形成されており、操作部は、本体に上下方向へ回転可能に保持されることを特徴とするものである。
請求項４に記載の発明は、請求項１乃至３の何れかの構成において、操作部の上面の少なくとも一部は、本体の上面より低くなるように下り傾斜していることを特徴とするものである。
【発明の効果】
【０００７】
請求項１に記載の発明によれば、本体の上部に運転スイッチの操作部を主電源スイッチよりも左右方向へ大きく延びるように設けたことで、例えば集塵機の後方からでも操作部の操作が可能となり、運転スイッチに係る操作性を向上させることができる。
また、主電源スイッチをＯＦＦ状態としておけば操作部を操作してもモータが駆動しないため、例えば保管時や移動時に誤って操作部が操作されても運転が開始されるおそれがなくなる。
請求項２に記載の発明によれば、請求項１の効果に加えて、操作部の下方に吸込量調整スイッチを配置したことで、運転開始後の吸込量の調整操作もし易くなる。
請求項３に記載の発明によれば、請求項１又は２の効果に加えて、操作部を本体に上下方向へ回転可能に保持させたことで、簡単な押し下げ操作によって運転を開始／停止させることができる。
請求項４に記載の発明によれば、請求項１乃至３の何れかの効果に加えて、操作部の上面を下り傾斜させたことで、より操作しやすくなる。また、本体の上部に物を載せたりしても誤操作のおそれは少なくなる。
【図面の簡単な説明】
【０００８】
【図１】集塵機の前方からの斜視図である。
【図２】集塵機の後方からの斜視図である。
【図３】集塵機の縦断面図である。
【図４】上カウリングを取り外した状態の平面図である。
【図５】スイッチ板を取り外した状態の分解斜視図である。
【図６】スイッチ板の下方からの斜視図である。
【図７】スイッチ板部分の拡大断面図である。
【図８】集塵機の後方からの斜視図である（カバーは開放位置、バッテリーパックは未装着）。
【図９】集塵機の後方からの斜視図である（カバーは閉塞位置を透過して示す。バッテリーパックは装着）。
【図１０】収納ボックスを結合した集塵機の後方からの斜視図である（カバーは開放位置、バッテリーパックは未装着）。
【図１１】収納ボックスを結合した集塵機の平面図である。
【発明を実施するための形態】
【０００９】
以下、本発明の実施の形態を図面に基づいて説明する。
図１，２は、集塵機の一例を示す外観図、図３はその縦断面図である。集塵機１は、上端を開口したタンク２の上方に、駆動部となるモータ２０及び送風ファン２５を備えた本体３を載置してなり、本体３の載置状態でタンク２の左右に設けたラッチ４，４を本体３の側面に係止させることで、本体３はタンク２に対して固定される。タンク２の前面には、図示しないホースを接続可能な吸込口５が設けられており、タンク２の下部には、前後に一対ずつキャスタ６，６・・（後側のキャスタ６，６はストッパ付き）が設けられている。吸込口５には、タンク２内へ吸い込まれる空気を下向きにガイドするガイド筒７が装着されている。
【００１０】
本体３は、タンク２の開口を閉塞する下カウリング８と、その下カウリング８に結合されて本体３の上面及び周面を覆う上カウリング９と、上下カウリング８，９の間に結合される中カウリング１０とを有する。上下カウリング８，９は、互いに対向状に突設されたネジボス１１，１２の位置で上方からネジ１３によって結合されるが、中カウリング１０は、上下のネジボス１１，１２の位置で当該ネジボス１１，１２に跨がって外装されるスリーブ１４を有し、そのスリーブ１４内に、上下のネジボス１１，１２の間に位置してネジ１３が貫通する挟持板１５が設けられている。よって、下カウリング８のネジボス１１に中カウリング１０のスリーブ１４を外装した状態で、上方からネジボス１２をスリーブ１４に挿入するようにして上カウリング９を被せてネジ止めすれば、上下カウリング８，９の結合と同時に中カウリング１０が固定される。
但し、本体３の後方側で左右方向中央では、中カウリング１０にネジボス１６が突設されて、後述する端子台９３を保持する保持ハウジング９２に設けたスリーブ１７が、ネジボス１６と上カウリング９側のネジボス１２との間でネジ止めされている。
【００１１】
本体３の略中央で中カウリング１０には、モータの収容筒１８が上下方向に保持されており、この収容筒１８と、中カウリング１０の下方に組み付けられた受けカバー１９との間に、モータ２０が収容されている。モータ２０は、収容筒１８内に固定される固定子２１と、その固定子２１の中心に位置する回転子２２とを有し、回転子２２の軸心に設けた出力軸２３が、収容筒１８と受けカバー１９とに設けた上下の軸受２４，２４によって下向きに軸支されている。受けカバー１９から突出する出力軸２３の下端には、送風ファン２５が固着され、出力軸２３の上端にはモータの冷却ファン２６が固着されている。なお、収容筒１８の下端と受けカバー１９との間には、図４に示すように、右側にのみ開口する隙間２７が形成されている。また、下カウリング８には、モータ２０の真下で下方に突出する筒部２８が形成されて、筒部２８の中央に設けられた吸気口２９が、出力軸２３の下方で同軸に位置している。
【００１２】
ここで、中カウリング１０には、図４に示すように、収容筒１８の上方を右側から囲んで前後の端部３０ａ，３０ａが左側へ延び、上カウリング９の左側内面に達する左仕切壁３０が形成されている。端部３０ａ，３０ａ間で上カウリング９の左側面には、図１，２，５等に示すように、冷却用吸気口３１，３１・・が形成されて、本体３内に、冷却用吸気口３１とモータ２０の冷却ファン２６とを結ぶ入側通気路３２を形成している。また、収容筒１８の右側でも、隙間２７を左側から囲んで前後の端部３３ａ，３３ａが右後方側へ延び、上カウリング９の右側内面に達する右仕切壁３３が形成されている。端部３３ａ，３３ａ間で上カウリング９の右側面には、図示しない冷却用排気口が形成されて、本体３内に、冷却用排気口と隙間２７とを結ぶ出側通気路３４を形成している。左右の仕切壁３０，３３と上カウリング９との間には、シール材となるスポンジ３５が設けられている。
【００１３】
よって、モータ２０が駆動して出力軸２３と共に冷却ファン２６が回転すると、冷却用吸気口３１から外気が吸い込まれ、この外気が入側通気路３２を通って収容筒１８内に進入し、モータ２０の固定子２１と回転子２２との間を通過してモータ２０を冷却した後、収容筒１８と受けカバー１９との隙間２７から出側通気路３４を通って冷却用排気口から排出されることになる。
【００１４】
そして、下カウリング８と中カウリング１０との間には、送風ファン２５を通過した空気の排出路３６が形成されており、この排出路３６は、上下カウリング８，９の左右の側面に形成された排気口３７，３７・・と連通している。３８は、排出路３６に配置された吸音材（スポンジ）である。さらに、下カウリング８とタンク２の開口との間には、筒部２８の外周を覆う筒状のフレーム４０を支持してフレーム４０にメインフィルタ４１を備えた支持盤３９と、その外側を覆う袋状のプレフィルタ４２とが設けられて、メインフィルタ４１の外側で支持盤３９には、プレフィルタ４２の内側に位置して吸込み時に収縮したプレフィルタ４２を元の形状に復帰させる板状のスポンジからなる弾性部材４３が設けられている。
【００１５】
また、中カウリング１０上で左仕切壁３０の前方には、ＡＣ用の回路基板４４が設けられ、右仕切壁３３の前方には、ＤＣ用の回路基板４５が設けられている。回路基板４４は、一面（本形態では後面）を開放したケース４６に収容されてシリコーンゴム等でポッティングされ、中カウリング１０上に立設されたリブ４７によってケース４６の開放側を後向きにして左右方向に立てた姿勢で支持される。回路基板４４上には、モータ２０への電力を制御するためのトライアック、ＡＣ出力用のリレー、回路基板４５との共用部分への電圧調整用の降圧回路が搭載され、当該共用部分には、ＤＣ出力用のリレー、マイコン、回路基板４５から共用部分への電圧調整用の降圧回路等が搭載されている。
さらに、回路基板４４には、商用電源に接続されるコード４８が電気的に接続されると共に、後述するスイッチ７０と繋ぐリード線４９，４９、操作盤５８と繋ぐリード線５０，５０・・、モータ２０の固定子巻線と繋ぐリード線５１等がそれぞれ配線されている。
【００１６】
一方、回路基板４５も、一面（本形態では左面）を開放したケース５２に収容されてシリコーンゴム等でポッティングされ、モータ２０の右側で、中カウリング１０上に立設されたリブ５３によってケース５２の開放側を左向きにして前後方向に立てた姿勢で支持される。回路基板４５上には、モータ２０への電圧調整用の昇圧回路、コンデンサ、ＦＥＴ等が搭載されている。
この回路基板４５には、後述する端子台９３と繋ぐリード線５４，５４・・や、回路基板４４とを繋ぐリード線５５，５５・・等がそれぞれ配線されている。こうしてモータ２０の周りに回路基板４４，４５を分割して配置しているので、コンパクトに収まる。また、回路基板４５がバッテリーパック９０に近いので、配線も容易となる。
そして、回路基板４４には、トライアックやリレー、マイコンの放熱用の放熱板５６が、回路基板４５には、ＦＥＴや昇圧回路、コンデンサの放熱用の放熱板５７がそれぞれ設けられ、これらの放熱板５６，５７の先端部５６ａ，５７ａは、左仕切壁３０に設けた切込みを貫通して入側通気路３２内に突出し、当該通気路内を流れる空気流と平行となるように配置されている。よって、トライアックやＦＥＴは、モータ冷却用の空気流内に位置する放熱板５６，５７によって温度上昇が効果的に抑制される。
【００１７】
本体３の正面には、操作盤５８が設けられている。この操作盤５８には、ダイヤル式の主電源スイッチ５９と、同じくダイヤル式の吸込量調整スイッチ６０と、後述するバッテリーパック９０の２個の装着状態及び残容量を示す表示部６１とが設けられている。
そして、ここでは操作盤５８の上方にも、操作盤５８の裏側に設けたスイッチ７０をＯＮ／ＯＦＦさせて運転を開始／停止させるための操作部となるスイッチ板６２が設けられている。このスイッチ板６２は、図５〜７に示すように、左右方向に延びる上面部６３と、上面部６３の前端から左右両側にかけて下向きに形成される外周部６４とからなり、上カウリング９の上部前側へ切欠き状に形成された取付凹部７５に嵌合状態で組み付けられる。
【００１８】
上面部６３の後端下面で左右両端には、左右方向に軸部６５，６５が形成されて、各軸部６５の内側で上面部６３の下面には、下向きに突出した後、後方へ折曲するＬ字状のフック６６，６６が左右に形成されている。また、各フック６６の内側には、十字状のリブ６８とその外側の半筒状のリブ６９とからなるバネ受け６７，６７が形成されて、両バネ受け６７，６７の間には、操作盤５８の裏側で取付凹部７５に設けられたスイッチ７０のプランジャ７１の上方に位置する押し込みボス７２が突設されている。さらに、外周部６４の下端内面で左右方向の中央には、後向きにストッパ片７３が突設されている。７４，７４は、左右の軸部６５とフック６６との間で上面部６３と外周部６４との内面に亘って設けられる仕切リブである。
【００１９】
一方、取付凹部７５において、左右の内側面には、スイッチ板６２の軸部６５，６５を下方から支持する軸受部７６，７６が形成されると共に、下面には、スイッチ７０を囲む横長四角形状の立ち上げ壁７７が立設されている。この立ち上げ壁７７の内側の底面は、取付凹部７５の下面よりも低く形成されており、当該底面から立ち上げ壁７７にかけて、左右両端には、スイッチ板６２のフック６６，６６の先端が差し込み可能な透孔７８，７８が形成されている。また、透孔７８，７８の内側で立ち上げ壁７７の内底面には、一対のコイルバネ７９，７９が配置されている。さらに、立ち上げ壁７７の前方で取付凹部７５の下面には、スイッチ板６２のストッパ片７３が係止可能な逆Ｌ字状の係止片８０が、上端を前向きにして立設されている。
【００２０】
このスイッチ板６２は、左右の軸部６５，６５を取付凹部７５の軸受部７６，７６に載せると共に、左右のフック６６，６６を透孔７８，７８にそれぞれ前方から差し込むようにしてセットし、ストッパ片７３が係止片８０を乗り越えるまで下方に押し込むと、コイルバネ７９，７９の上端がバネ受け６７，６７に保持された状態で軸部６５，６５を中心に上下へ回転可能且つフック６６，６６によって上方へ抜け止めされた状態で組み付けられる。よって、スイッチ板６２は、コイルバネ７９，７９の付勢により、ストッパ片７３が係止片８０に当接する図３，７の上限位置で保持される。この上限位置では、外周部６４の下端は取付凹部７５の下面から浮いた状態となり、押し込みボス７２はスイッチ７０のプランジャ７１の上方でプランジャ７１と非接触となっている。このとき上面部６３は、上カウリング９の上面と同じ高さとなる後端から、前方へ行くに従って下り傾斜している。
【００２１】
よって、上限位置からコイルバネ７９の付勢に抗して上面部６３を押し下げると、外周部６４が取付凹部７５の下面に当接して押し込みボス７２がプランジャ７１を押し込んでスイッチ７０をＯＮ／ＯＦＦ動作させる。このスイッチ板６２とスイッチ７０とが本発明の運転スイッチとなる。
なお、スイッチ板６２の上限位置で取付凹部７５との間に隙間があっても、取付凹部７５の下面には立ち上げ壁７７が立設されているので、その内側のスイッチ７０や透孔７８に水や塵埃が侵入するおそれは少なくなる。また、フック６６の外側の左右の仕切リブ７４は、立ち上げ壁７７の左右の外側に位置するため、仕切リブ７４，７４によって左右からの水等の侵入はより効果的に防止される。
【００２２】
さらに、スイッチ板６２の上面部６３の上面には、左右に滑り止めとなる複数の突起８１，８１・・と、その間に配置されるスイッチ表示部８２とが設けられている。そして、スイッチ板６２は、本体２の前側上端で左右に延びて操作盤５８の主電源スイッチ５９よりも大型に形成されているため、スイッチ板６２の位置がわかりやすい上、確実な押し下げ操作が可能となっている。また、上面部６３は前方へ向かうに従って下り傾斜するので、より押し込み操作しやすくなっている。さらに、上カウリング９の上面に物を置いた場合でも、スイッチ板６２が誤って押し下げられるおそれは少なくなっている。
【００２３】
スイッチ板６２の後方で本体３の上部には、ハンドル８３が設けられている。このハンドル８３は、倒コ字状で、図８に示すように、左右両端の内側へ対向状に突設されたハンドル回転軸８４を、前後方向の中央で上カウリング９に設けた受け部８５に挿入して保持させることで、左右へ延びる方向で、上カウリング９から上方へ突出する起立位置と、前方へ倒伏する倒伏位置との間を回転可能に連結されている。倒伏位置では、上カウリング９の上面に凹設された同形状の凹部８６に嵌合して、ハンドル８３は上カウリング９の上面から突出しないようになっている。８７は凹部８６の後方中央で凹部８６と連続状に上カウリング９に形成されて倒伏位置からのハンドルの引き出しを容易とする逃がし凹部である。
【００２４】
そして、上カウリング９の後部で左右方向の中央には、収容部８８が形成されている。この収容部８８は、後面中央を上カウリング９の最後面よりも前方に位置させ、上面中央を上カウリング９の最上面よりも下方に位置させた凹状部で、後面には、２つのバッテリーパック９０，９０が着脱可能なバッテリー接続部８９，８９が２つ設けられている。バッテリーパック９０は、電動工具の電源としても用いられるもので、複数の蓄電池を収容したケースの上面に、左右のレール部の間に接続端子を配置した結合部を設けた構成となっている。
【００２５】
よって、バッテリー接続部８９は、バッテリーパック９０を装着する電動工具の形態と同様に、結合部のレール部が嵌合可能な左右一対のガイドレール９１，９１を上向きに備え、その前方に設けた保持ハウジング９２に、ガイドレール９１，９１の間で端子板９４，９４を有する端子台９３を上向きに設けた構成となって、バッテリーパック９０を縦向きにして上方からバッテリー接続部８９に差し込み装着可能としている。このため、バッテリーパック９０の差し込みがしやすくなっている。また、収容部８８の上面には、横断面が半円状の凹み部９５が左右方向に形成されて、図３に示すように吸込ノズルや工具等の小物Ｍが収容可能となっている。
【００２６】
また、収容部８８の左右で上カウリング９には、上カウリング９の最上面よりも低くなる段部９６，９６が形成されており、このうち右側の段部９６には、コード保持部９７が設けられている。このコード保持部９７は、段部９６の下面に、収容部８８の右内側面から延長上に立ち上がる延長片９８と、その延長片９８の外側で延長片９８と平行な保持片９９とを立設したものである。コード４８は、段部９６の下方で上カウリング９の右側面から後向きに引き出されて、先端にプラグ受１００を備えており、図９に示すように延長片９８と保持片９９との間にプラグ受１００を嵌合させて保持させることができる。このようにコード４８を介してプラグ受１００が設けられているので、外部のコンセントからコードを介してプラグにプラグ受１００を容易に繋げることができる。
一方、左側の段部９６とハンドル８３との間で上カウリング９には、ホースに接続される延長用のパイプに設けた図示しないフックを係止させてパイプを上下方向に支持可能なパイプ支持部１０１が設けられている。このパイプ支持部１０１は、支持した状態のパイプが後述するカバー１０２の開閉に支障ないように、且つハンドル８３が起立した状態でも干渉しないように配置されている。
【００２７】
１０２は、収容部８８と左右の段部９６，９６とを覆うカバーで、収容部８８及び段部９６，９６の上方を覆う上板部１０３と、収容部８８の後方及び段部９６，９６の後方及び側方を覆う後板部１０４とを有する。上板部１０３の前端部は、ハンドル８３の両端部間に収まる幅で前方へ延びており、ハンドル８３のハンドル回転軸８４と逃がし凹部８７との間で左右方向のカバー回転軸１０５によって上カウリング９に連結されている（図３）。よって、カバー１０２は、上板部１０３が上向きとなるように回転して収容部８８及び段部９６を開放する開放位置と、上板部１０３が上カウリング９の上面と延長面上にあって収容部８８及び段部９６を覆う閉塞位置との間で回転可能となる。このようにカバー１０２のカバー回転軸１０５をハンドル回転軸８４よりも前方に配置したことで、上板部１０３の前後寸法を長く形成して開放位置では収容部８８を大きく開放できるようになっている。また、後板部１０４の下端にはフック１０６が設けられて、カバー１０２の閉塞位置で下カウリング８に設けた被係止部１０７に弾性係止するようになっている。
【００２８】
また、カバー１０２の後板部１０４の右側下端には、上切欠き１０８が形成され、右側の段部９６の下面後端には、カバー１０２の閉塞位置で上切欠き１０８に合致する下切欠き１０９が形成されて、コード保持部９７にプラグ受１００を保持させたコード４８が上下切欠き１０８，１０９により形成される貫通孔を通過可能となっている。よって、コード保持部９７にプラグ受１００を保持させた状態でカバー１０２を閉じることができる。
【００２９】
そして、上板部１０３の左右の端縁には、折曲部１１０，１１０が形成されている。この折曲部１１０は、カバー１０２の閉塞位置で、凹部８６の形成によって収容部８８の左右で上カウリング９に立ち上げ形成される立ち上げ部１１１，１１１の外側に位置する。また、折曲部１１０には、ハンドル８３のハンドル回転軸８４との干渉を回避する逃げ部１１２が形成されて、折曲部１１０の後端は後板部１０４と繋がっている。さらに、折曲部１１０の内側でカバー１０２の内面には、上板部１０３の内面に立設される帯板部１１４と、後板部１０４の内面に立設される傾斜板部１１５とからなる一対の横リブ１１３，１１３が形成されている。この横リブ１１３は、カバー１０２の閉塞位置で収容部８８の左右の内側面の内側に位置するもので、内側面には、カバー１０２の閉塞位置で帯板部１１４が当接する上当接段部１１６と、傾斜板部１１５が当接する下当接段部１１７とが形成されている。上板部１０３の前側でも、帯板部１１４，１１４の前端間を繋ぐ帯板状の前リブ１１８が形成されて、カバー１０２の閉塞位置で、収容部８８の前面に形成した前当接段部１１９に当接可能となっている。
【００３０】
よって、カバー１０２の閉塞位置では、折曲部１１０に加えて横リブ１１３や前リブ１１８によって収容部８８の密閉が図られるため、収容部８８への水や塵埃の浸入を効果的に防止することができる。なお、左側の段部９６にも、立ち上げ部１１１と連続しカバー１０２の閉塞位置で横リブ１１３の外側に位置する小リブ１２０が立設されて、右側の段部９６の延長片９８と共に収容部８８への水等の浸入を防止するようにしている。また、収容部８８の底面後端には、左右の下当接段部１１７，１１７と連続し、カバー１０２の閉塞位置で後板部１０４の内側に位置する返し部１２１が立設されて、収容部８８への水等の浸入防止を図っている。
【００３１】
一方、集塵機１の後方で下カウリング８には、被係止部１０７の左右に位置する一対の結合部１２２，１２２が設けられて、ここに収納ボックス１２３が結合可能となっている。収納ボックス１２３は、図１０，１１に示すように、上方を開口したポケット状で、前壁部１２４は、タンク２の外周に合わせた湾曲状となって、内部には、左右の仕切板１２５，１２５によって、予備のバッテリーパック２つ等を収納可能な第１収納部１２６が形成されると共に、その両側に、筒状の保持部１２８を上向きに有してパイプ等のアタッチメントを収納可能な第２収納部１２７，１２７が形成されている。また、前壁部１２４の上端前面で左右には、平面視がＴ字状となる一対の嵌合突起１２９，１２９が突設されている。
結合部１２２は、嵌合突起１２９を上方から受け入れ可能なＴ字状の溝で、カバー１０２の開放位置で結合部１２２が露出し、閉塞位置でカバー１０２の後板部１０４の下端が結合部１２２の上方に位置するようになっている。
【００３２】
よって、カバー１０２を開放位置に回転させた図１０の状態で、収納ボックス１２３の各嵌合突起１２９を上方から結合部１２２に嵌合させることで、収納ボックス１２３は下カウリング８からの吊り下げ状態で、且つ後方への抜け止めがされた状態で結合される。この状態で嵌合突起１２９は結合部１２２から上方へ突出しない。ここでカバー１０２を閉塞位置へ回転させると、後板部１０４の下端が嵌合突起１２９の上方に位置するため、カバー１０２によって上方への抜け止めがされた状態となり、カバー１０２を開放位置に回転させないと収納ボックス１２３は取り外せない。なお、収納ボックス１２３の前壁部１２４の上端中央には、収納ボックス１２３を結合した状態でもカバー１０２のフック１０６を被係止部１０７へ係脱可能とする切欠部１３０が形成されている。
【００３３】
以上の如く構成された集塵機１においては、バッテリーパック９０を電源として使用する場合、カバー１０２を開放位置へ回転させて露出した収容部８８のバッテリー接続部８９，８９に１又は２のバッテリーパック９０を上方から装着する。そしてカバー１０２を閉塞位置へ回転させると、収容部８８及び左右の段部９６，９６が覆われる。
この状態で主電源スイッチ５９をＯＮ操作（図１の「１」の位置へ回す）してスイッチ板６２を押し下げ操作してスイッチ７０をＯＮ動作させると、回路基板４５の制御により、モータ２０が駆動して送風ファン２５が回転する。これにより、吸込口５に接続されたホースを介して外気がタンク２内に吸い込まれ、プレフィルタ４２及びメインフィルタ４１を通過して送風ファン２５から排出路３６へ至り排気口３７から外部へ排出される。よって、プレフィルタ４２で捕捉された塵埃がタンク２内に貯留し、プレフィルタ４２を通過した細かい塵埃はメインフィルタ４１で捕捉される。作業終了後、主電源スイッチ５９をＯＦＦ操作（図１の「０」の位置へ回す）するか、或いはスイッチ板６２を押し下げ操作してスイッチ７０をＯＦＦ動作させると、モータ２０が停止する。
なお、このとき、使用しないコード４８は、図９のようにコード保持部９７に保持させるか、図１０，１１のようにプラグ受１００を収納ボックス１２３の第２収納部１２７に差し込んでおくかすればよい。
【００３４】
そして、充電等のためにバッテリーパック９０を取り外す場合は、装着時と同様にカバー１０２を開放位置へ回転させれば、露出したバッテリーパック９０を上向きに抜き取ることができる。なお、カバー１０２の後板部１０４は、パイプ支持部１０１がある左側端部の方が右側端部よりも短くなっているため、パイプ支持部１０１にパイプを支持させた状態でもパイプと干渉することなくカバー１０２の開閉が可能となる。
【００３５】
一方、商用電源を電源として使用する場合、コード保持部９７或いは収納ボックス１２３から引き出したコード４８のプラグ受１００に電源コードの接続プラグを差し込む。
この状態で主電源スイッチ５９をＯＮ操作してスイッチ板６２を押し下げ操作してスイッチ７０をＯＮ動作させると、回路基板４４の制御により、モータ２０が駆動して送風ファン２５が回転し、前述のように外気が吸い込まれてプレフィルタ４２で捕捉された塵埃がタンク２内に貯留し、細かい塵埃はメインフィルタ４１で捕捉される。
作業終了後、主電源スイッチ５９をＯＦＦ操作するか、或いはスイッチ板６２を押し下げ操作してスイッチ７０をＯＦＦ動作させると、モータ２０が停止する。電源コードを取り外したコード４８は、再びコード保持部９７に保持させるか、収納ボックス１２３の第２収納部１２７に差し込んでおくかすればよい。
【００３６】
このように、上記形態の集塵機１によれば、本体３の上部にモータ２０への通電を制御するためのスイッチ板６２を設けたことで、例えば集塵機１の後方からでもスイッチ板６２の押し下げ操作が可能となり、運転開始／停止操作に係る操作性を向上させることができる。
特にここでは、スイッチ板６２の下方に、送風ファン２５の回転による吸込量を調整する吸込量調整スイッチ６０が配置されることで、スイッチ板６２の押し下げ操作後の吸込量の調整操作もし易くなる。
また、スイッチ板６２は、ハンドル８３が延びる左右方向に延びるように形成されて、本体３に上下方向へ回転可能に保持されるので、簡単な押し下げ操作によって運転を開始／停止させることができる。
さらに、スイッチ板６２の上面は、本体３の上面より低くなるように下り傾斜しているので、より操作しやすい。また、誤操作のおそれも少なくなる。
そして、スイッチ板６２の下方に、ＯＮ／ＯＦＦ操作可能な主電源スイッチ５９を設けて、主電源スイッチ５９のＯＮ状態でのみスイッチ７０によるモータ２０への通電制御を有効としたことで、主電源スイッチ５９をＯＦＦ状態としておけばスイッチ板６２を押し下げ操作してもモータ２０が駆動しないため、例えば保管時や移動時に誤ってスイッチ板６２が押し下げられても運転が開始されるおそれがなくなる。
【００３７】
但し、スイッチ板は、ハンドルの位置やカバーの形状等によっては後方へより大きく形成して本体上面に占める面積を増やすこともできるし、全体を下り傾斜させずに前端部分のみ下り傾斜させることもできる。
また、スイッチ板のヒンジ結合は上記形態のように軸部を軸受部に保持させる構造に限らず、スイッチ板と本体とを別体の軸によって結合する等、適宜変更可能である。
さらに、このようなヒンジ結合によって上下方向へ回転可能とするものに限らず、例えば本体の上面に形成した有底孔内に、平面視が円形等のスイッチ板を上下方向へ移動可能且つ本体上面と面一となる上限位置へ付勢して設けて、上方からの押し込み操作によって運転開始／停止可能とする等、操作部は上記形態に限定されない。
そして、運転スイッチは上記形態のようにスイッチ板とスイッチとの組み合わせに係るものに限らず、押しボタン等の操作部が一体となったスイッチを本体の上部に設ける場合であっても、同様に良好な操作性は得られる。また、上記形態では主電源スイッチ５９のＯＮ状態でのみスイッチ板６２によるスイッチ７０のＯＮ／ＯＦＦ動作を有効としているが、それぞれを独立した運転スイッチとして個別にモータ２０の制御を可能としても差し支えない。
【００３８】
また、上記形態の集塵機１によれば、ハンドル回転軸８４とカバー回転軸１０５とを互いに平行に、且つ互いに相手側の回転軸を越えて相手側のハンドル８３又はカバー１０２とオーバーラップするように配置しているので、製品サイズを大きくすることなくカバー１０２を前後に長くできてカバー１０２の開口を大きく確保することができる。従って、収容部８８へのバッテリーパック９０の着脱が容易となる。
【００３９】
但し、上記形態では、ハンドル８３の両端部間にカバー１０２の上板部１０３を延ばしてカバー回転軸１０５をハンドル回転軸８４よりも前方に配置しているが、これと逆に、ハンドルの左右方向の寸法を小さくしてハンドルの両端部の外側にカバーの上板部の左右端をそれぞれ延ばすことでカバー回転軸をハンドル回転軸よりも前方に配置することもできる。また、ハンドルの両端部とカバーの上板部の左右端とを左右にずらして互いの回転軸にオーバーラップさせることも可能である。
さらに、カバーによって覆われる収容部には、付属品や工具等のみを収容可能としてもよい。
【００４０】
そして、上記形態の集塵機１によれば、着脱式の収納ボックス１２３を集塵機１に設けることができる。特に、カバー１０２は、収容部８８の閉塞位置で収納ボックス１２３の外れ方向への移動を規制するようにしたことで、着脱式の収納ボックス１２３を、結合時には確実に固定できると共に、取り外しはカバー１０２の開放によって容易に行うことができる。
【００４１】
但し、カバーは、上下方向での開閉動作に限らず、左右方向で開閉動作するものであってもよいし、カバー回転軸による回転に限らず、上下方向や左右方向のスライドによって収容部を開閉するものであっても本発明は適用できる。
また、収納ボックスの結合は、上記形態に限らず、結合部と嵌合突起との数を増やしたり、嵌合形状を変えたり（例えばＴ字状でなくアリ溝状の嵌合とする）等適宜変更可能である。
さらに，収納ボックス自体の構造も、仕切板を増やしたり、仕切板や保持部を省略したり、収納部に開閉蓋を設けたりする等、上記形態に限定されない。
【符号の説明】
【００４２】
１・・集塵機、２・・タンク、３・・本体、５・・吸込口、８・・下カウリング、９・・上カウリング、１０・・中カウリング、２０・・モータ、２５・・送風ファン、３７・・排気口、４１・・メインフィルタ、４２・・プレフィルタ、４４・・回路基板、４５・・回路基板、４８・・コード、５８・・操作盤、５９・・主電源スイッチ、６０・・吸込量調整スイッチ、６２・・スイッチ板、６３・・上面部、６４・・外周部、６５・・軸部、６６・・フック、７０・・スイッチ、７１・プランジャ、７２・・押し込みボス、７５・・取付凹部、７６・・軸受部、７７・・立ち上げ壁、７８・・透孔、７９・・コイルバネ、８０・・係止片、８１・・突起、８２・・スイッチ表示部、８３・・ハンドル、８４・・ハンドル回転軸、８８・・収容部、８９・・バッテリー接続部、９０・・バッテリーパック、９３・・端子台、９６・・段部、９７・・コード保持部、１００・・プラグ受、１０２・・カバー、１０３・・上板部、１０４・・後板部、１０５・・カバー回転軸、１２２・・結合部、１２３・・収納ボックス。
【図１】
0006590475.tif 000002
【図２】
0006590475.tif 000003
【図３】
0006590475.tif 000004
【図４】
0006590475.tif 000005
【図５】
0006590475.tif 000006
【図６】
0006590475.tif 000007
【図７】
0006590475.tif 000008
【図８】
0006590475.tif 000009
【図９】
0006590475.tif 000010
【図１０】
0006590475.tif 000011
【図１１】
0006590475.tif 000012